(57)【要約】【課題】ピント状態の確認に適するように、自動的に超解像処理の有無を制御すること。【解決手段】デジタルカメラ１は、画像の精細度を高める超解像処理部１４と、画像の一部を切り出して引き延ばす拡大処理部１４と、拡大処理部１４による処理後の画像を表示装置１５に表示させる再生表示処理部１６と、拡大処理部１４により切り出された範囲に撮影時の焦点調節に用いられた領域が含まれるか否かを判定する判定部１６と、判定部１６による判定結果に応じて超解像処理部１４による処理を行うか否かを切替える切替え部１６と、を備える【選択図】図１
2014053666.tif 000002
【特許請求の範囲】
【請求項１】
画像の精細度を高める超解像処理部と、
前記画像の一部を切り出して引き延ばす拡大処理部と、
前記拡大処理部による処理後の画像を表示装置に表示させる再生表示処理部と、
前記拡大処理部により切り出された範囲に撮影時の焦点調節に用いられた領域が含まれるか否かを判定する判定部と、
前記判定部による判定結果に応じて前記超解像処理部による処理を行うか否かを切替える切替え部と、
を備えることを特徴とするデジタルカメラ。
【請求項２】
請求項１に記載のデジタルカメラにおいて、
前記切替え部は、前記拡大処理部による切り出し範囲に撮影時の焦点調節に用いられた領域が含まれないと前記判定部によって判定された場合に前記超解像処理部による処理を行い、前記拡大処理部による切り出し範囲に撮影時の焦点調節に用いられた領域が含まれると前記判定部によって判定された場合に前記超解像処理部による処理を行わないように前記切替えを行うことを特徴とするデジタルカメラ。
【請求項３】
請求項１または２に記載のデジタルカメラにおいて、
前記拡大処理部は、撮影モードにおいて、撮影時の焦点調節に用いられた領域を含むように前記画像の一部を切り出して引き延ばし、
前記判定部は、前記撮影モードにおいて、前記拡大処理部による処理が行われたか否かを判定することを特徴とするデジタルカメラ。
【請求項４】
請求項１〜３のいずれか一項に記載のデジタルカメラにおいて、
前記撮影モードにおいて、撮影後、記録媒体に保存する前の画像を一時記憶する記憶部材をさらに備え、
前記画像は、前記記憶部材に前記一時記憶されている画像であることを特徴とするデジタルカメラ。
【請求項５】
画像の精細度を高める超解像処理部と、
前記画像の一部を切り出して引き延ばす拡大処理部と、
前記拡大処理部による処理後の画像を表示装置に表示させる再生表示処理部と、
前記拡大処理部により切り出された範囲に撮影時の焦点調節に用いられた領域が含まれるか否かを判定する判定部と、
前記判定部による判定結果に応じて前記超解像処理部による処理を行うか否かを切替える切替え部と、
を備えることを特徴とする画像処理装置。
【請求項６】
請求項５に記載の画像処理装置において、
前記切替え部は、前記拡大処理部による切り出し範囲に撮影時の焦点調節に用いられた領域が含まれないと前記判定部によって判定された場合に前記超解像処理部による処理を行い、前記拡大処理部による切り出し範囲に撮影時の焦点調節に用いられた領域が含まれると前記判定部によって判定された場合に前記超解像処理部による処理を行わないように前記切替えを行うことを特徴とする画像処理装置。
【請求項７】
請求項５または６に記載の画像処理装置において、
前記拡大処理部は、再生モードにおいて、前記画像の一部として指示された領域を切り出して引き延ばし、
前記判定部は、前記再生モードにおいて、前記拡大処理部へ前記画像の一部として指示された領域に撮影時の焦点調節に用いられた領域が含まれるか否かを判定することを特徴とする画像処理装置。
【請求項８】
画像の精細度を高める超解像処理と、
前記画像の一部を切り出して引き延ばす拡大処理と、
前記拡大処理後の画像を表示装置に表示させる再生表示処理と、
前記拡大処理により切り出された範囲に撮影時の焦点調節に用いられた領域が含まれるか否かを判定する判定処理と、
前記判定処理による判定結果に応じて前記超解像処理を行うか否かを切替える切替え処理と、
をコンピュータに実行させることを特徴とする画像処理プログラム。
【発明の詳細な説明】
【技術分野】
【０００１】
本発明は、デジタルカメラ、画像処理装置および画像処理プログラムに関する。
【背景技術】
【０００２】
ピント状態の確認のために画像の一部を切り出して拡大表示する際に、元の画像より解像度の高い画像を生成する超解像処理が知られている（特許文献１参照）。
【先行技術文献】
【特許文献】
【０００３】
【特許文献１】特開２００８−１０３７９７号公報
【発明の概要】
【発明が解決しようとする課題】
【０００４】
超解像処理後の画像は超解像処理前に比べて精細度が高まる。そのため、ピントが合っていないぼけ画像に超解像処理を施すと、画像の精細度が高まり、ピントが合っているように見えてしまう。したがって、画像に超解像処理を施すことは、ピント状態の確認に不向きとなってしまう。
【課題を解決するための手段】
【０００５】
本発明によるデジタルカメラは、画像の精細度を高める超解像処理部と、画像の一部を切り出して引き延ばす拡大処理部と、拡大処理部による処理後の画像を表示装置に表示させる再生表示処理部と、拡大処理部により切り出された範囲に撮影時の焦点調節に用いられた領域が含まれるか否かを判定する判定部と、判定部による判定結果に応じて超解像処理部による処理を行うか否かを切替える切替え部と、を備えることを特徴とする。
本発明による画像処理装置は、画像の精細度を高める超解像処理部と、画像の一部を切り出して引き延ばす拡大処理部と、拡大処理部による処理後の画像を表示装置に表示させる再生表示処理部と、拡大処理部により切り出された範囲に撮影時の焦点調節に用いられた領域が含まれるか否かを判定する判定部と、判定部による判定結果に応じて超解像処理部による処理を行うか否かを切替える切替え部と、を備えることを特徴とする。
本発明による画像処理プログラムは、画像の精細度を高める超解像処理と、画像の一部を切り出して引き延ばす拡大処理と、拡大処理後の画像を表示装置に表示させる再生表示処理と、拡大処理により切り出された範囲に撮影時の焦点調節に用いられた領域が含まれるか否かを判定する判定処理と、判定処理による判定結果に応じて超解像処理を行うか否かを切替える切替え処理と、をコンピュータに実行させることを特徴とする。
【発明の効果】
【０００６】
本発明によれば、ピント状態の確認に適するように、自動的に超解像処理の有無を制御できる。
【図面の簡単な説明】
【０００７】
【図１】本発明の一実施の形態によるデジタルカメラを例示するブロック図である。
【図２】「撮影モード」においてデジタルカメラのＣＰＵが実行する処理の流れを説明するフローチャートである。
【図３】「再生モード」においてデジタルカメラのＣＰＵが実行する処理の流れを説明するフローチャートである。
【図４】コンピュータ装置を例示する図である。
【発明を実施するための形態】
【０００８】
図面を参照して本発明を実施するための形態について説明する。図１は、本発明の一実施の形態によるデジタルカメラ１を例示するブロック図である。デジタルカメラ１の画像処理部１４は、画像の精細度を高めるために、公知の超解像処理を行う。本実施形態のＣＰＵ１６は、画像を液晶モニタ１５に再生表示する際に画像処理部１４による超解像処理を自動的にオンさせる。一方で、ＣＰＵ１６は、ユーザーが液晶モニタ１５の表示画面でピント状態を確認する場合は画像処理部１４による超解像処理を自動的にオフさせる。
【０００９】
以下、デジタルカメラ１の詳細について説明する。図１において、撮影レンズ１１は、撮像素子１２の撮像面に被写体像を結像させる。ＣＰＵ１６は、図示しないシャッターボタンの半押し操作に連動して半押しスイッチ２０ａがオンされると、ＡＥ（自動露出）演算およびオートフォーカス（ＡＦ）処理を行う。ＣＰＵ１６は、撮影レンズ１１を構成するフォーカシングレンズ（不図示）を光軸方向（図１において矢印方向）に進退移動させる。これにより、撮影レンズ１１の焦点位置が自動調節される。フォーカシングレンズ（不図示）の駆動は、ＣＰＵ１６から指示を受けたレンズ駆動部２１が行う。
【００１０】
撮像素子１２は、ＣＭＯＳイメージセンサなどによって構成される。撮像素子１２は、撮像面上に結像された被写体像を撮像する。撮像素子１２から出力された撮像信号は、Ａ／Ｄ変換部１３においてアナログ信号からデジタル信号に変換される。画像処理部１４は、デジタル画像信号に対して所定の画像処理を行う。画像処理には、階調補正処理やホワイトバランス処理などの他に、上記超解像処理と、画像を液晶モニタ１５に再生表示する際の拡大処理とが含まれる。
【００１１】
液晶モニタ１５は、ＣＰＵ１６からの指示に応じて、画像やアイコン、操作メニューなどを表示する。フラッシュメモリ１７は、ＣＰＵ１６が実行するプログラムや実行処理に必要なデータなどを格納する。フラッシュメモリ１７が格納するプログラムやデータの内容は、ＣＰＵ１６からの指示によって追加、変更が可能に構成されている。
【００１２】
ＣＰＵ１６は、例えばバッファメモリ１８を作業領域として制御プログラムを実行し、カメラ各部に対する種々の制御を行う。バッファメモリ１８は、画像データを一時的に記憶する場合にも使用される。本実施形態では、連写撮影時に撮影した複数コマの撮影画像を一時的に記憶する場合にバッファメモリ１８を使用する。バッファメモリ１８へ撮影画像を一時記憶する際は、その画像を撮影する際のＡＦ処理に採用したＡＦエリアの位置（撮影画面における位置）を示す情報も撮影画像に関連づけて記憶する。
【００１３】
画像処理部１４は、上記画像処理以外にも、画像信号を格納した所定形式の画像ファイル（例えば Exif ファイル）を生成する。記録再生部１９は、ＣＰＵ１６からの指示に基づいて画像ファイルをメモリカード５０に記録（保存）する。また記録再生部１９は、メモリカード５０に記録（保存）されている画像ファイルを読み出す。
【００１４】
メモリカード５０は、図示しないカードスロットに着脱自在に取り付けられる記録媒体である。ＣＰＵ１６は、記録再生部１９によってメモリカード５０から読み出された画像ファイル、または撮影後バッファメモリ１８に記憶されている画像データに基づいて、液晶モニタ１５に撮影画像を再生表示させる。
【００１５】
操作部材２０は、上記半押しスイッチ２０ａや、シャッターボタンの全押し操作に伴ってオンする全押しスイッチ２０ｂ、およびモード切替えスイッチなどを含む。操作部材２０は、各部材の操作に応じた操作信号をＣＰＵ１６へ送出する。モード切替えスイッチは、「撮影モード」と「再生モード」とを切替えるための操作信号を発する。
【００１６】
半押しスイッチ２０ａからのオン信号（半押し操作信号）は、シャッターボタンが通常ストロークの半分程度まで押し下げ操作されると出力され、半ストロークの押し下げ操作解除で出力が解除される。全押しスイッチ２０ｂからのオン信号（全押し操作信号）は、シャッターボタンが通常ストロークまで押し下げ操作されると出力され、通常ストロークの押し下げ操作が解除されると出力が解除される。
【００１７】
本実施形態は、液晶モニタ１５に画像を再生表示する際に上記超解像処理を自動的にオンさせ、ユーザーが液晶モニタ１５の表示画面でピント状態を確認する際に上記超解像処理を自動的にオフさせる点に特徴を有するので、この点を中心に以降の説明を行う。
【００１８】
＜撮影モード時の再生表示＞
「撮影モード」において、バッファメモリ１８に一時的に記憶した複数コマの撮影画像の中から、ユーザーによる操作部材２０の操作に基づいてＣＰＵ１６が指示したコマの撮影画像ファイルをメモリカード５０に記録（保存）するように設定されている。この場合、ＣＰＵ１６は、バッファメモリ１８に記憶されている撮影画像を順番に液晶モニタ１５に再生表示させる。この際、ＣＰＵ１６は、ＡＦ処理で採用したＡＦエリアの位置を含む所定範囲を撮影画像の一部として画像処理部１４によって拡大（引き延ばす）させ、液晶モニタ１５に再生表示させる。上記ＡＦエリアの位置は、上述したように撮影画像に関連づけてバッファメモリ１８に記憶されている。
【００１９】
一般に、上記拡大（引き延ばし）によって撮影画像の一部を構成するピクセル数が液晶モニタ１５の表示ピクセル数より小さくなると、液晶モニタ１５による表示画像にジャギーが目立つようになる。このようなジャギーの軽減には、超解像処理が有効である。
【００２０】
本実施形態のＣＰＵ１６は、上記拡大再生表示を行う場合において画像処理部１４による超解像処理をオフさせる。超解像処理を行うと、ピントが合っていない画像の精細度を高めてしまい、ピント確認に不向きとなるからである。このため、ユーザーが専らピント確認を行う可能性が高い「撮影モード」における拡大再生表示の際は、撮影画像のピント状態をそのまま再生表示するように、画像処理部１４による超解像処理をオフさせる。
【００２１】
＜再生モード時の再生表示＞
「再生モード」において、ＣＰＵ１６は記録再生部１９に指示を送り、メモリカード５０に記録されている画像ファイルの中から、ユーザーによる操作部材２０の操作に基づいてＣＰＵ１６が指示したコマの撮影画像を液晶モニタ１５に再生表示させる。ＣＰＵ１６は、ユーザーによる操作部材２０の操作によって拡大表示が指示されると、画像処理部１４へ指示を送る。ＣＰＵ１６は、撮影画像の一部として指示された位置を中心とする所定範囲を液晶モニタ１５に拡大再生表示させる。
【００２２】
画像ファイルには、例えばメーカーノートとして、撮影画面における上記ＡＦエリアの位置を示す情報が含まれている。上述したように、超解像処理を行うとピントが合っていない画像の精細度を高めてしまい、ピント確認に不向きとなる。このため、「再生モード」において上記ＡＦエリアの位置を含む所定範囲を液晶モニタ１５に拡大再生表示する場合は、ユーザーが専らピント確認を行う可能性が高いので、撮影画像のピント状態をそのまま再生表示するように、画像処理部１４による超解像処理をオフさせる。
【００２３】
＜フローチャートの説明＞
―撮影モード―
「撮影モード」においてＣＰＵ１６が実行する処理の流れについて、図２に例示するフローチャートを参照して説明する。ＣＰＵ１６は、「撮影モード」に設定されると図２による処理を起動する。なお、デジタルカメラ１は、バッファメモリ１８に一時記憶した撮影画像の中から、ユーザーによる操作部材２０の操作によって指示されたコマの撮影画像ファイルをメモリカード５０に記録（保存）するように設定されている。
【００２４】
図２のステップＳ１において、ＣＰＵ１６はレリーズボタン（不図示）が半押し操作されたか否かを判定する。ＣＰＵ１６は、半押しスイッチ２０ａからオン信号が入力された場合にステップＳ１を肯定判定してステップＳ２へ進む。ＣＰＵ１６は、半押しスイッチ２０ａからオン信号が入力されない場合には、ステップＳ１を否定判定してステップＳ１２へ進む。
【００２５】
ステップＳ２において、ＣＰＵ１６は、ＡＥ演算およびＡＦ処理を行う。ＣＰＵ１６は、撮像素子１２によってライブビュー表示用に撮像された画像に基づいてＡＥ演算およびＡＦ処理を行うとステップＳ３へ進む。ライブビュー表示は、撮影指示（全押し操作）前に撮像素子１２で所定のフレームレートで撮像される画像に基づいて液晶モニタ１５に逐次表示させるモニタ用画像のことをいう。
【００２６】
ステップＳ３において、ＣＰＵ１６は、レリーズボタンが全押し操作されたか否かを判定する。ＣＰＵ１６は、全押しスイッチ２０ｂからオン信号が入力された場合にステップＳ３を肯定判定してステップＳ４へ進む。ＣＰＵ１６は、全押しスイッチ２０ｂからオン信号が入力されない場合には、ステップＳ３を否定判定してステップＳ２へ戻る。ステップＳ２へ戻る場合は、上述した処理を繰り返す。
【００２７】
ステップＳ４において、ＣＰＵ１６は撮影動作を開始させる。ＣＰＵ１６は、単写設定されている場合は１コマの撮影動作を行わせ、連写設定されている場合は全押しスイッチ２０ｂからのオン信号が継続している間、複数コマの撮影動作を繰り返し行わせる。
【００２８】
ステップＳ５において、ＣＰＵ１６は、撮影画像をバッファメモリ１８に一時記憶させてステップＳ６へ進む。ステップＳ６において、ＣＰＵ１６は拡大再生表示を行うか否かを判定する。ＣＰＵ１６は、撮影画像の一部を拡大して液晶モニタ１５に再生表示する拡大再生表示を行うように設定されている場合に、ステップＳ６を肯定判定してステップＳ７へ進む。ＣＰＵ１６は、撮影画像の全体を液晶モニタ１５に再生表示するように設定されている場合に、ステップＳ６を否定判定してステップＳ８へ進む。
【００２９】
ステップＳ７において、ＣＰＵ１６は画像処理部１４に指示を送り、超解像処理をオフさせた上で、バッファメモリ１８に一時記憶している撮影画像のうち上記ＡＦエリアの位置を含む所定範囲を液晶モニタ１５に拡大再生表示させてステップＳ９へ進む。ステップＳ８において、ＣＰＵ１６は画像処理部１４に指示を送り、超解像処理をオンさせた上でバッファメモリ１８に一時記憶している撮影画像の全体を液晶モニタ１５に再生表示させてステップＳ９へ進む。
【００３０】
ステップＳ９において、ＣＰＵ１６は、保存指示されたか否かを判定する。ＣＰＵ１６は、操作部材２０から保存指示を示す操作信号が入力されると、ステップＳ９を肯定判定してステップＳ１０へ進む。ＣＰＵ１６は、操作部材２０から保存指示を示す操作信号が入力されない場合は、ステップＳ９を否定判定してステップＳ１１へ進む。
【００３１】
ステップＳ１０において、ＣＰＵ１６は記録再生部１９へ指示を送り、液晶モニタ１５に再生表示している画像に対応するバッファメモリ１８内の撮影画像を、メモリカード５０に記録してステップＳ１１へ進む。ステップＳ１１において、ＣＰＵ１６は、バッファメモリ１８内に一時記憶している撮影画像の中に、液晶モニタ１５に表示していない撮影画像が存在するか否かを判定する。ＣＰＵ１６は、未表示の撮影画像が存在する場合にステップＳ１１を肯定判定してステップＳ６へ戻る。ステップＳ６へ戻ったＣＰＵ１６は、バッファメモリ１８内の未表示の撮影画像を対象に上述した処理を繰り返す。ＣＰＵ１６は、バッファメモリ１８内に未表示の撮影画像が存在しない場合には、ステップＳ１１を否定判定してステップＳ１２へ進む。
【００３２】
ステップＳ１２において、ＣＰＵ１６は、終了操作が行われたか否かを判定する。ＣＰＵ１６は、操作部材２０を構成するモード切替えスイッチから「再生モード」へ切り替える操作信号が入力されると、ステップＳ１２を肯定判定して図２による処理を終了する。ＣＰＵ１６は、上記モード切替えスイッチから「再生モード」への切り替え操作信号が入力されない場合は、ステップＳ１２を否定判定してステップＳ１へ戻る。ステップＳ１へ戻る場合は、上述した処理を繰り返す。
【００３３】
―再生モード―
「再生モード」においてＣＰＵ１６が実行する処理の流れについて、図３に例示するフローチャートを参照して説明する。ＣＰＵ１６は、「再生モード」に設定されると図３による処理を起動する。
【００３４】
図３のステップＳ５１において、ＣＰＵ１６は、画像ファイル選択操作を受け付けてステップＳ５２へ進む。ユーザーは、操作部材２０を操作することにより、液晶モニタ１５に再生表示させる撮影画像のファイルを選択する。ＣＰＵ１６は、操作部材２０からの操作信号に基づいて、再生表示する画像ファイルを決定する。
【００３５】
ステップＳ５２において、ＣＰＵ１６は拡大再生表示を行うか否かを判定する。ＣＰＵ１６は、撮影画像の一部を拡大して液晶モニタ１５に再生表示する拡大再生表示を行うように設定されている場合に、ステップＳ５２を肯定判定してステップＳ５３へ進む。ＣＰＵ１６は、撮影画像の全体を液晶モニタ１５に再生表示するように設定されている場合に、ステップ５２を否定判定してステップＳ５６へ進む。
【００３６】
ステップＳ５３において、ＣＰＵ１６は、拡大再生表示する範囲に上記ＡＦエリアを含むか否かを判定する。ＣＰＵ１６は、上記ＡＦエリアを含む場合にステップＳ５３を肯定判定してステップＳ５４へ進む。ＣＰＵ１６は、上記ＡＦエリアを含まない場合にはステップＳ５３を否定判定してステップＳ５７へ進む。
【００３７】
ステップＳ５４において、ＣＰＵ１６は画像処理部１４に指示を送り、超解像処理をオフさせた上で撮影画像のうち上記ＡＦエリアの位置を含む所定範囲を液晶モニタ１５に拡大再生表示させてステップＳ５５へ進む。ステップＳ５７において、ＣＰＵ１６は画像処理部１４に指示を送り、超解像処理をオンさせた上で撮影画像のうち上記ＡＦエリアの位置を含まない所定範囲を液晶モニタ１５に拡大再生表示させてステップＳ５５へ進む。ステップＳ５７において画像処理部１４が超解像処理を行うのは、撮影画像のうち再生表示する所定範囲のみでよい。ステップＳ５６において、ＣＰＵ１６は画像処理部１４に指示を送り、超解像処理をオンさせた上で撮影画像の全体を液晶モニタ１５に再生表示させてステップＳ５５へ進む。
【００３８】
ステップＳ５５において、ＣＰＵ１６は、終了操作が行われたか否かを判定する。ＣＰＵ１６は、操作部材２０を構成するモード切替えスイッチから「撮影モード」へ切り替える操作信号が入力されると、ステップＳ５５を肯定判定して図３による処理を終了する。ＣＰＵ１６は、上記モード切替えスイッチから「撮影モード」への切り替え操作信号が入力されない場合は、ステップＳ５５を否定判定してステップＳ５１へ戻る。ステップＳ５１へ戻る場合は、上述した処理を繰り返す。
【００３９】
以上説明した実施形態によれば、次の作用効果が得られる。
（１）デジタルカメラ１は、画像の精細度を高める画像処理部１４と、画像の一部を切り出して引き延ばす画像処理部１４と、引き延ばし後の画像を液晶モニタ１５に表示させるＣＰＵ１６と、画像処理部１４により切り出された範囲に撮影時のＡＦ処理に採用されたＡＦエリアが含まれるか否かを判定するＣＰＵ１６と、ＣＰＵ１６による判定結果に応じて画像処理部１４による画像の精細度を高める処理を行うか否かを切替えるＣＰＵ１６と、を備える。これにより、ユーザーが専らピント確認を行う可能性が高い「撮影モード」における拡大再生表示の際に、ピント状態の確認に適するように自動的に超解像処理の有無を制御できる。
【００４０】
（２）上記（１）のデジタルカメラ１において、ＣＰＵ１６は、画像処理部１４による切り出し範囲に撮影時のＡＦ処理に採用されたＡＦエリアが含まれないとＣＰＵ１６によって判定された場合に画像処理部１４による処理を行い、画像処理部１４による切り出し範囲に撮影時のＡＦ処理に採用されたＡＦエリアが含まれるとＣＰＵ１６によって判定された場合に画像処理部１４による処理を行わないように切替える。これにより、ピント確認が行われる可能性が高い「撮影モード」時にＡＦエリアを拡大再生表示の際は、撮影画像のピント状態をそのまま再生表示できる。一方、ＡＦエリアを除いた拡大再生表示の際は、画像の精細度を高めて再生表示できる。
【００４１】
（３）上記デジタルカメラ１において、画像処理部１４は、「撮影モード」において、撮影時のＡＦ処理に採用されたＡＦエリアを含むように画像の一部を切り出して引き延ばし、ＣＰＵ１６は、「撮影モード」において、画像処理部１４による引き延ばし処理が行われたか否かを判定する。これにより、ユーザーが専らピント確認を行う可能性が高い状況を適切に判定できる。
【００４２】
（４）上記デジタルカメラ１において、「撮影モード」において、撮影後、メモリカード５０に保存する前の画像を一時記憶するバッファメモリ１８をさらに備え、画像は、バッファメモリ１８に一時記憶されている画像のことをいう。これにより、ユーザーがピント確認を行う可能性が高い状況を適切に判定できる。すなわち、ユーザーは、バッファメモリ１８に一時的に記憶した複数コマの撮影画像についてピント確認をする。ＣＰＵ１６は記録再生部１９へ指示を送り、ユーザーによる操作部材２０の操作に基づいて、ピントが合っているコマの撮影画像を選択的にメモリカード５０に保存する。
【００４３】
（変形例１）
上述した例では、「撮影モード」において撮影画像の一部を拡大再生表示する場合に、撮影画像のうちＡＦ処理で採用したＡＦエリアの位置を含む所定範囲を拡大再生表示する例を説明したが、撮影画像のうち上記ＡＦエリアの位置を含まない所定範囲についても拡大再生表示を行うようにしてもよい。この場合のＣＰＵ１６は、「再生モード」の場合と同様に、拡大再生表示する場合において拡大再生表示する範囲にＡＦ処理で採用したＡＦエリアを含むか否かを判定し、この判定結果に応じて超解像処理のオフまたはオンを切替えるとよい。すなわち、上記ＡＦエリアの位置を含む所定範囲を拡大再生表示する場合は超解像処理をオフし、上記ＡＦエリアの位置を含まない所定範囲を拡大再生表示する場合は超解像処理をオンさせる。
【００４４】
（変形例２）
以上説明した「再生モード」では、撮影画像の一部として所定範囲を拡大再生表示する場合であって、かつ拡大再生表示する範囲にＡＦエリアを含む場合には、超解像処理をオフする例を説明した。この代わりに、「再生モード」においては超解像処理のオフを許可する表示モードと、超解像処理のオフを禁じる表示モードとを切替え可能に構成してもよい。
【００４５】
（変形例３）
上述した「撮影モード」において、撮影指示（全押し操作）前に撮像素子１２で所定のフレームレートで撮像される画像に基づいて液晶モニタ１５に逐次表示させるライブビュー表示画像に対して超解像処理を行ってもよい。ただし、ＡＦエリアを含む所定の範囲を拡大表示する場合には、超解像処理をオフに切り替えた上でライブビュー表示を行う。これにより、ライブビュー画像のピント状態をそのまま確認できるようになる。
【００４６】
（変形例４）
以上の説明では、画像処理装置としてデジタルカメラ１を用いる例を説明したが、デジタルカメラ１の代わりに多機能携帯電話機やタブレット型コンピュータ、コンピュータ２００などを用いて画像処理装置を構成してもよい。
【００４７】
（変形例５）
上述した実施形態では、画像の再生表示を行うプログラムをデジタルカメラ１のフラッシュメモリ１７にあらかじめ格納しておく例を説明したが、後からデジタルカメラ１へプログラムを供給してもよい。例えば、図３に示すコンピュータ２００に一旦プログラムを保存し、コンピュータ２００からデジタルカメラ１へプログラムを転送する他、通信回線２０１を経由して直接デジタルカメラ１へプログラムを供給してもよい。
【００４８】
パーソナルコンピュータ２００に対するプログラムのローディングは、プログラムを格納したＣＤ−ＲＯＭなどの記憶媒体２０４をパーソナルコンピュータ２００にセットして行ってもよいし、ネットワークなどの通信回線２０１を経由する方法でパーソナルコンピュータ２００へローディングしてもよい。通信回線２０１を経由する場合は、通信回線２０１に接続されたサーバー（コンピュータ）２０２のハードディスク装置２０３などにプログラムを格納しておく。プログラムは、記憶媒体２０４や通信回線２０１を介する提供など、種々の形態のコンピュータプログラム製品として供給することができる。
【００４９】
以上の説明はあくまで一例であり、上記の実施形態の構成に何ら限定されるものではない。
【符号の説明】
【００５０】
１…デジタルカメラ
１２…撮像素子
１４…画像処理部
１５…液晶モニタ
１６…ＣＰＵ
１７…フラッシュメモリ
１８…バッファメモリ
１９…記録再生部
２０…操作部材
５０…メモリカード
２００…コンピュータ
２０４…記憶媒体
【図１】
2014053666.tif 000003
【図２】
2014053666.tif 000004
【図３】
2014053666.tif 000005
【図４】
2014053666.tif 000006